(57)【要約】【課題】メカニカルキーのより一層の薄型化を図ることが可能な錠装置を提供する。【解決手段】ケース７に対して相対変位可能に設けられた作動体１０には、ケース７に対する作動体１０の相対変位を規制するタンブラ２１，２２が設けられている。タンブラ２１，２２は、作動体１０のタンブラ収容部１２に、回転軸１４を中心として回転可能に軸支されている。タンブラ２１，２２は、鍵孔１１に挿入されたキープレートと係合し挿抜方向に変位して、当該タンブラ２１，２２を、回転軸１４を中心として回転させる照合部２１ａ，２２ａを備えている。また、タンブラ２１，２２は、タンブラ２１，２２の回転軸１４を中心とした回転角度に応じて、作動体１０とケース７とを係合させる係合部２１ｂ，２１ｃ，２２ｂとを備えている。【選択図】図６
2011080317.tif 000002
【特許請求の範囲】
【請求項１】
設置対象に固定されるケースと、キーコードとして複数のコード孔が形成されたキープレートが挿入される鍵孔を備えるとともに該ケースに対して相対変位可能に設けられた作動体と、前記鍵孔に正規のキープレートが挿入されていない状態において前記ケースと前記作動体とを係合させて前記作動体の前記ケースに対する相対変位を規制する複数のタンブラとを備え、前記鍵孔に正規のキープレートが挿入されることにより、前記タンブラによる前記作動体と前記ケースとの係合が解除されて当該作動体の前記ケースに対する相対変位を許容する錠装置であって、
前記タンブラは、前記鍵孔に挿抜されるキープレートの厚さ方向において前記作動体の前記ケース側の外側面と前記鍵孔とを連通するタンブラ収容部に、前記鍵孔に挿入される前記キープレートの幅方向の回転軸を中心として該キープレートの挿抜方向に回転可能に軸支されるとともに、
前記鍵孔にキープレートが挿入されていない状態において該鍵孔に挿入される前記キープレートに係合する中立位置に配置され、前記鍵孔に挿入されたキープレートと係合しその挿入方向に回転変位して、当該タンブラを、前記回転軸を中心として回転させ前記コード孔の有無に応じて中立状態又は回転変位状態をとる照合部と、
前記タンブラの前記回転軸を中心とした回転角度に応じて、前記タンブラ収容部から前記ケース側への突出量が変化し、前記照合部と前記コード孔との対応関係に基づき前記作動体と前記ケースとを係合状態又は非係合状態とする係合部とを備え、
前記照合部が前記中立位置に配置されるように前記タンブラを回転付勢する付勢手段をさらに備えたことを特徴とする錠装置。
【請求項２】
複数の前記タンブラは、前記鍵孔に挿入される正規のキープレートの前記コード孔に対応する位置に配置される第１タンブラと、当該正規のキープレートの前記コード孔に対応しない位置に配置される第２タンブラとを含み、
前記第１タンブラは、前記キープレートが挿入されていない状態、又は挿入されたキープレートのコード孔に前記照合部が対応した状態においては、前記照合部は、前記中立位置にあり、前記係合部は、前記タンブラ収容部内に収容され前記ケースと前記作動体との係合を解除するとともに、挿入されたキープレートのコード孔に対応しない部位に前記照合部が対応した状態においては、前記照合部は、回転変位状態をとり、前記係合部は、前記タンブラ収容部から前記ケース側に突出し前記ケースと前記作動体とを係合させ、
前記第２タンブラは、前記キープレートが挿入されていない状態、又は挿入されたキープレートのコード孔に前記照合部が対応した状態においては、前記照合部は、前記中立位置にあり、前記係合部は、前記タンブラ収容部から前記ケース側に突出し前記ケースと前記作動体とを係合させるとともに、挿入されたキープレートのコード孔に対応しない部位に前記照合部が対応した状態においては、前記照合部は、回転変位状態をとり、前記係合部は、前記タンブラ収容部内に収容され前記ケースと前記作動体との係合を解除することを特徴とする請求項１に記載の錠装置。
【請求項３】
前記タンブラの外周面は、その周方向において滑らかに連続する曲面状に形成されたことを特徴とする請求項１又は２に記載の錠装置。
【請求項４】
前記鍵孔の挿入方向からみて前記照合部の形状が一致するように形成されたことを特徴とする請求項１〜３の何れか１項に記載の錠装置。
【請求項５】
前記作動体は、該作動体の前記ケース側の外側面に設けられ前記タンブラ収容部に連通する係合部材収容部と、該係合部材収容部に前記作動体及び前記ケースに跨って配置される係合位置と前記作動体の内側に配置される非係合位置との間を変位可能に収容された係合部材と、該係合部材を前記係合位置から前記非係合位置へ変位させる方向へ付勢する第２付勢手段とを備え、
前記係合部材は、前記タンブラの回転に伴い前記タンブラ収容部から前記ケース側へ突出した前記係合部に押圧されることにより、前記非係合位置から前記係合位置へ変位することを特徴とする請求項１〜４の何れか１項に記載の錠装置。
【請求項６】
前記キープレートは、全体としてカード状に形成されたカード型キーであることを特徴とする請求項１〜５の何れか１項に記載の錠装置。
【発明の詳細な説明】
【技術分野】
【０００１】
本発明は、錠装置に関する。
【背景技術】
【０００２】
従来、例えば特許文献１に示されるように、カード状のキープレートにキーコードとして複数の孔群から成るコード孔が形成されてなるメカニカルキーと協働して施錠・解錠を行う錠装置がある。
【０００３】
この錠装置は、図１２に示すように、車両や玄関等のドアに取り付けられるケース５１と、該ケース５１内に摺動可能に挿入された作動体５２とを備えている。作動体５２には、前記キープレート５を挿入するための溝５３が設けられている。ケース５１及び作動体５２において前記溝５３にキープレート５を挿入した際に同キープレート５のコード孔５ａに対応する部位には、それぞれキープレート５に直交する方向に延びる孔５４ａ，５４ｂが形成されている。これら孔５４ａ，５４ｂは、互いに一致して単一の長孔５４を形成している。この長孔５４には、キープレート５に近い側から順に、キープレート５のコード孔５ａに係合するボール５５と、作動体５２の移動を阻止・開放するための施錠ピン５６ａ，５６ｂと、該施錠ピン５６ａ，５６ｂをボール５５側へ付勢するばね５７とが収容されている。施錠ピン５６ａ，５６ｂは、その長手方向において分断されており、その分断された位置が、正規のキープレート５が挿入された場合にケース５１及び作動体５２の境界に一致するように設定されている。具体的には、コード孔５ａに対応する施錠ピン５６ａは、キープレート５が挿入されていない状態において、その分断された位置が作動体５２及びケース５１の境界に一致するように設定されている。また、コード孔５ａに対応しない施錠ピン５６ｂは、キープレート５が挿入されていない状態において、その分断された位置がキープレート５の厚さの分だけ作動体５２及びケース５１の境界よりもボール５５側に配置されるように設定されている。
【０００４】
これにより、図１３（ａ）に示すように、正規のキープレート５が溝５３に挿入された場合は、施錠ピン５６ａ，５６ｂの境界がケース５１及び作動体５２の境界に一致するので、作動体５２とケース５１との相対変位が可能となり、ロック装置の施解錠操作が可能となる。一方、図１３（ｂ）に示すように、不正なキープレート５が挿入された場合は、施錠ピン５６ａ，５６ｂの境界が当該キープレート５の厚さの分だけ作動体５２及びケース５１の境界からずれた位置に配置され、施錠ピン５６ａ，５６ｂを介して作動体５２とケース５１とが係合する状態となるので、作動体５２とケース５１との間の相対変位が不能となり、ロック装置の施解錠操作が不能となる。
【０００５】
また、従来、ユーザが所持する携帯機と車両や住宅等に搭載されたロック装置との間で所定の無線通信を通じて識別コードの送受信を行うことにより、同ロック装置の施錠・解錠を可能とする電子キーシステムが知られている。この電子キーシステムは、識別コードに基づくユーザ認証を行うことで、より高い安全性を確保することができるとともに、キーを鍵孔に挿入する必要がなく利便性が高いことから、車両や住宅等の用途において急速に普及が進んでいる。このような電子キーシステムにおいて、上述したロック装置を手動で施錠・解錠するメカニカルキーは、例えば携帯機の電気系・通信系の不具合により電子キーシステムが適切に動作しなくなった場合に使用できるよう、通常、携帯機に設けられた収容部に収容されている。このような携帯機においては、その携帯性の向上のため、より一層の小型化が望まれている。携帯機にメカニカルキーを収容する場合、携帯機のサイズを決める要因の中でもメカニカルキーの収容スペースは重要であり、これにともない、メカニカルキーの薄型化が望まれている。また、携帯機に収容されないメカニカルキーについても、携帯性の観点から、薄型化が望まれている。
【先行技術文献】
【特許文献】
【０００６】
【特許文献１】特開２００３−３０７０５８号公報
【発明の概要】
【発明が解決しようとする課題】
【０００７】
しかしながら、前述した従来の錠装置では、キープレート５がボール５５を当該キープレート５の厚さ方向へ押し上げることにより施錠ピン５６ａ，５６ｂが変位するため、施錠ピン５６ａ，５６ｂの境界は、ケース５１及び作動体５２の境界から該キープレート５の厚さの分だけずれた位置に配置される。従って、当該キープレート５を薄くすると、施錠ピン５６ａ，５６ｂの境界からケース５１及び作動体５２の境界までの距離が短くなり、施錠ピン５６ａ，５６ｂがケース５１及び作動体５２に引っかかり難くなってしまう。このため、ケース５１と作動体５２との間の係合が不十分となり、ケース５１と作動体５２との間の相対変位を確実に規制することができなくなってしまうことが懸念される。
【０００８】
本発明は、こうした実情に鑑みてなされたものであって、その目的は、メカニカルキーのより一層の薄型化を図ることが可能な錠装置を提供することにある。
【課題を解決するための手段】
【０００９】
請求項１に記載の発明は、設置対象に固定されるケースと、キーコードとして複数のコード孔が形成されたキープレートが挿入される鍵孔を備えるとともに該ケースに対して相対変位可能に設けられた作動体と、前記鍵孔に正規のキープレートが挿入されていない状態において前記ケースと前記作動体とを係合させて前記作動体の前記ケースに対する相対変位を規制する複数のタンブラとを備え、前記鍵孔に正規のキープレートが挿入されることにより、前記タンブラによる前記作動体と前記ケースとの係合が解除されて当該作動体の前記ケースに対する相対変位を許容する錠装置であって、前記タンブラは、前記鍵孔に挿抜されるキープレートの厚さ方向において前記作動体の前記ケース側の外側面と前記鍵孔とを連通するタンブラ収容部に、前記鍵孔に挿入される前記キープレートの幅方向の回転軸を中心として該キープレートの挿抜方向に回転可能に軸支されるとともに、前記鍵孔にキープレートが挿入されていない状態において該鍵孔に挿入される前記キープレートに係合する中立位置に配置され、前記鍵孔に挿入されたキープレートと係合しその挿入方向に回転変位して、当該タンブラを、前記回転軸を中心として回転させ前記コード孔の有無に応じて中立状態又は回転変位状態をとる照合部と、前記タンブラの前記回転軸を中心とした回転角度に応じて、前記タンブラ収容部から前記ケース側への突出量が変化し、前記照合部と前記コード孔との対応関係に基づき前記作動体と前記ケースとを係合状態又は非係合状態とする係合部とを備え、前記照合部が前記中立位置に配置されるように前記タンブラを回転付勢する付勢手段をさらに備えたことをその要旨とする。
【００１０】
本発明によれば、タンブラは、鍵孔に挿入されるキープレートの幅方向の回転軸を中心として該キープレートの挿抜方向に回転可能に軸支されている。タンブラの照合部が鍵孔に挿入されたキープレートと係合しその挿入方向に変位すると、タンブラは、回転軸を中心として回転する。そして、タンブラの係合部は、タンブラの回転軸を中心とした回転角度に応じてタンブラ収容部からケース側へ突出し、作動体とケースとを係合させる。即ち、キープレートの厚みが、タンブラの係合部のケース側への突出量、言い換えれば、ケース及び作動体の間の係合力に何ら影響を及ぼさない。よって、キープレートの厚さをより一層薄くした場合でもケースと作動体とを確実に係合させることが可能となり、メカニカルキーのより一層の薄型化を図ることができる。
【００１１】
請求項２に記載の発明は、複数の前記タンブラは、前記鍵孔に挿入される正規のキープレートの前記コード孔に対応する位置に配置される第１タンブラと、当該正規のキープレートの前記コード孔に対応しない位置に配置される第２タンブラとを含み、前記第１タンブラは、前記キープレートが挿入されていない状態、又は挿入されたキープレートのコード孔に前記照合部が対応した状態においては、前記照合部は、前記中立位置にあり、前記係合部は、前記タンブラ収容部内に収容され前記ケースと前記作動体との係合を解除するとともに、挿入されたキープレートのコード孔に対応しない部位に前記照合部が対応した状態においては、前記照合部は、回転変位状態をとり、前記係合部は、前記タンブラ収容部から前記ケース側に突出し前記ケースと前記作動体とを係合させ、前記第２タンブラは、前記キープレートが挿入されていない状態、又は挿入されたキープレートのコード孔に前記照合部が対応した状態においては、前記照合部は、前記中立位置にあり、前記係合部は、前記タンブラ収容部から前記ケース側に突出し前記ケースと前記作動体とを係合させるとともに、挿入されたキープレートのコード孔に対応しない部位に前記照合部が対応した状態においては、前記照合部は、回転変位状態をとり、前記係合部は、前記タンブラ収容部内に収容され前記ケースと前記作動体との係合を解除することをその要旨とする。
【００１２】
本発明によれば、第１タンブラは、鍵孔に挿入される正規のキープレートのコード孔に対応する位置に配置されるため、この状態において第１タンブラの照合部はキープレートと係合しない。従って、照合部は中立位置に配置され、当該第１タンブラの係合部は、タンブラ収容部内に収容される。これにより、ケースと作動体との係合が解除される。一方、第２タンブラは、鍵孔に挿入される正規のキープレートのコード孔に対応しない位置に配置されるため、この状態において第２タンブラの照合部はキープレートと係合し当該キープレートの挿入方向に変位した状態に保持される。従って、第２タンブラは、その係合部が、タンブラ収容部内に収容された状態に保持される。これにより、ケースと作動体との係合が解除される。よって、鍵孔に正規のキープレートが挿入されることにより、第１タンブラ及び第２タンブラによるケースと作動体との係合が全て解除されて、当該作動体のケースに対する相対変位が許容される。従って、第１タンブラ及び第２タンブラの組み合わせや配置を変更することにより、複数種類のキーコードを当該錠装置に対応するキーコードとして設定することができる。
【００１３】
また、第２タンブラは、照合部が中立位置にある状態においてケースと作動体とを係合させるため、当該第２タンブラによって、鍵孔にキープレートが挿入されていない状態における作動体のケースに対する相対変位が規制される。従って、鍵孔に正規のキープレートが挿入されていない状態で作動体のケースに対する相対変位が許容されることはない。また、不正なキープレートが挿入された場合には、同キープレートのコード孔と該コード孔が設けられていない部位とが、第１タンブラ及び第２タンブラに対応していないので、作動体のケースに対する相対変位が規制される。以上のことから、錠装置のセキュリティ性が向上する。
【００１４】
請求項３に記載の発明は、前記タンブラの外周面は、その周方向において滑らかに連続する曲面状に形成されたことをその要旨とする。
本発明によれば、タンブラの外周面は、その周方向において滑らかに連続する曲面状に形成されているため、タンブラの照合部とキープレートとを滑らかに係合させることが可能となり、キープレートの挿抜時における操作感を向上させることができる。
【００１５】
請求項４に記載の発明は、前記鍵孔の挿入方向からみて前記照合部の形状が一致するように形成されたことをその要旨とする。
本発明によれば、タンブラは、鍵孔の挿入方向からみて照合部の形状が一致するように形成されたため、鍵孔から覗いても照合部の形状から当該照合部に対応するタンブラの係合部によるケースと作動体との係合状態を判別することができない。このため、錠装置のセキュリティ性が向上する。
【００１６】
請求項５に記載の発明は、前記作動体は、該作動体の前記ケース側の外側面に設けられ前記タンブラ収容部に連通する係合部材収容部と、該係合部材収容部に前記作動体及び前記ケースに跨って配置される係合位置と前記作動体の内側に配置される非係合位置との間を変位可能に収容された係合部材と、該係合部材を前記係合位置から前記非係合位置へ変位させる方向へ付勢する第２付勢手段とを備え、前記係合部材は、前記タンブラの回転に伴い前記タンブラ収容部から前記ケース側へ突出した前記係合部に押圧されることにより、前記非係合位置から前記係合位置へ変位することをその要旨とする。
【００１７】
本発明によれば、係合部材収容部に設けられた係合部材が、タンブラの回転に伴いタンブラ収容部から突出した係合部に押圧されることにより、当該係合部材が作動体及びケースに跨って配置される。このように、係合部材を介して作動体とケースとが係合するため、タンブラ自体をケースに係合させることなく作動体とケースとを係合させることができる。ここで、例えば作動体がケースに対してキープレートの挿抜方向、即ちタンブラの回転方向に相対変位可能となっている場合、各タンブラの係合部とケースとが係合する方向がタンブラの回転方向と一致するため、作動体が操作されることにより係合部が回転軸から離れた位置でケースと係合することで、タンブラが回転してしまうことが懸念される。この点、本発明によれば、タンブラをケースに係合させることなく作動体とケースとを係合させることができるため、タンブラの係合部がケースに係合して同タンブラが回転軸を中心として回転してしまうことを防止することが可能となり、作動体とケースとをより確実に係合させることができる。
【００１８】
請求項６に記載の発明は、前記キープレートは、全体としてカード状に形成されたカード型キーであることをその要旨とする。
本発明によれば、キープレートは全体としてカード状に形成されるため、キープレートの携帯性が向上する。
【発明の効果】
【００１９】
本発明によれば、メカニカルキーのより一層の薄型化を図ることが可能な錠装置を提供することができる。
【図面の簡単な説明】
【００２０】
【図１】電子キーシステムの概略構成図。
【図２】（ａ）携帯機の斜視図、（ｂ）メカニカルキーの平面図。
【図３】錠装置の概略構成を示す斜視図。
【図４】錠装置の概略構成を示す断面図。
【図５】図４のＡ−Ａ断面図。
【図６】図４のＢ−Ｂ断面図。
【図７】（ａ）〜（ｃ）第１タンブラの作用を説明するための断面図。
【図８】（ａ）〜（ｃ）第２タンブラの作用を説明するための断面図。
【図９】錠装置の作用を説明するための断面図。
【図１０】（ａ）第２の実施の形態の錠装置の概略構成を示す断面図、（ｂ）同錠装置の作用を説明するための断面図。
【図１１】（ａ）別例の第１タンブラの概略構成を示す断面図、（ｂ）別例の第２タンブラの概略構成を示す断面図。
【図１２】従来の錠装置の概略構成を示す断面図。
【図１３】（ａ）及び（ｂ）従来の錠装置の作用を説明するための一部拡大断面図。
【発明を実施するための形態】
【００２１】
＜第１の実施の形態＞
以下、本発明を、車両との無線通信を通じてロック装置としてのドア錠を電子的に施錠・解錠する電子キーシステムに具体化した第１の実施の形態を図面に従って説明する。
【００２２】
図１に示すように、電子キーシステム１は、ユーザが所持する携帯機２と、車両３に搭載されるとともに携帯機２との無線通信を通じてドア錠４ａの施錠・解錠を行う制御装置４とを備えている。
【００２３】
ユーザが携帯機２を所持して車両の所定領域に接近すると、携帯機２は制御装置４から送信されるリクエスト信号を受信する。このリクエスト信号はＩＤコードの送信を携帯機２に要求する旨の信号である。携帯機２は前記リクエスト信号を受信すると、予め記録された自身のＩＤコードを含むＩＤ信号を送信する。制御装置４は、携帯機２から送信されてきたＩＤ信号を受信すると、このＩＤ信号に含まれる携帯機２側のＩＤコードと予め記憶された車両３側のＩＤコードとを照合し、両ＩＤコードが一致したことを条件としてドア錠４ａを解錠する。一方、携帯機２を所持したユーザが車両３から離間して前記所定領域外に移動すると、制御装置４は、携帯機２から送信されるＩＤ信号を受信不能となる。制御装置４は携帯機２側のＩＤ信号を受信不能になったことを条件として車両のドア錠４ａを施錠する。従って、ユーザが車両に触れることなくドア錠４ａの施錠・解錠が行われる。
【００２４】
図２（ａ）に示すように、携帯機２は、全体として直方体状に形成されている。携帯機２の内部には、前記制御装置４との間で無線通信を行うための通信回路等を構成するアンテナや各種電子部品が実装された回路基板２ａが収容されている。また、携帯機２の一側部に設けられたキー収容部２ｂには、メカニカルキーとしてのキープレート５が収容されている。回路基板２ａとキー収容部２ｂは、携帯機２の厚さ方向において重ねて配置されている。キープレート５は、車両ドア３ａに設けられた錠装置６（図３参照）に対応するものであり、当該携帯機２の電気系・通信系の不具合により電子キーシステム１が適切に動作しなくなった場合には、該キープレート５により前記ドア錠４ａを手動で施錠・解錠することができるようになっている。
【００２５】
図２（ｂ）に示すように、キープレート５は、樹脂材料からなり、全体として長方形の板状に形成されている。キープレート５には、図２（ｂ）に実線で示されるように、前記錠装置６に対応するキーコードとして当該キープレート５を厚さ方向（図２（ｂ）において紙面奥行き方向）に貫通する１０個のコード孔５ａが形成されており、当該キープレート５の一端部（図２（ｂ）において左端部）のコード孔５ａが形成されていない部分は、キープレート５を把持するための把持部となっている。各コード孔５ａは、キープレート５の板厚方向から見て同キープレート５の長手方向に延びる長方形状に形成されている。
【００２６】
図３に示すように、錠装置６のケース７は、全体として直方体状の外形を有しており、その一側面７ａが車両ドア３ａの外側面と面一となるように車両ドア３ａに固定されている。ケース７の一側面７ａには、その長手方向（図３において略左右方向）に延びるスリット７ｂが形成されており、該スリット７ｂは、ケース７の内部に設けられた作動体収容部７ｃにつながっている。図４に示すように、作動体収容部７ｃは、同ケース７の外形に対応する直方体状に形成されている。作動体収容部７ｃの内頂面の略中央部分には、同図４において２点鎖線で示すように、スリット７ｂに直交する方向へ延びる直線状の４つの係合凹部７ｄが、当該スリット７ｂの長手方向（図４において上下方向）に並んで設けられている。
【００２７】
同図４に示すように、作動体収容部７ｃには、直方体状に形成された作動体１０が、ケース７の内側面に沿って前記スリット７ｂの長手方向（図４において上下方向）両側へスライド可能に収容されている。作動体１０は、作動体収容部７ｃに設けられた図示しない復帰機構により作動体収容部７ｃの長手方向中央に保持されている。作動体１０にはドア錠４ａを施錠・解錠する図示しないロック機構が作動連結されており、作動体１０が前記スリット７ｂの長手方向に沿った操作方向へスライド操作されると、前記ロック機構を通じてドア錠４ａが施錠・解錠されるようになっている。具体的には、作動体１０が図４において上方の解錠方向へ操作されると該ロック機構はドア錠４ａを解錠し、作動体１０が図４において下方の施錠方向へ操作されると該ロック機構はドア錠４ａを施錠する。
【００２８】
作動体１０において、前記スリット７ｂに対応する部位には、該スリット７ｂ側（図４において左側）に開口し前記キープレート５が挿入される断面長方形状の鍵孔１１が形成されている。キープレート５は、作動体１０のスライド方向に直交する方向（図４において左方向）からスリット７ｂを介して鍵孔１１に挿入される。作動体１０は、鍵孔１１に対するキープレート５の挿入方向（挿抜方向）に対して直交する操作方向へ操作される。作動体１０において、該鍵孔１１に挿入されるキープレート５の厚さ方向一側（図４において紙面手前側）の外側面１０ａには、２０個のタンブラ収容部１２が設けられている。タンブラ収容部１２は、前記作動体収容部７ｃの係合凹部７ｄの長手方向であって前記鍵孔１１に対する前記キープレート５の挿入方向に所定間隔毎に５個を１列とし、４列設けられている。タンブラ収容部１２の４つの列は、前記復帰機構により作動体１０が作動体収容部７ｃの長手方向中央に配置された状態で、図４において２点鎖線で示す４つの係合凹部７ｄにそれぞれ対応する位置に設けられている。各タンブラ収容部１２は、作動体１０の外側面１０ａと前記鍵孔１１とを連通しており（図５参照）、該鍵孔１１へのキープレート５の挿入方向（図４において左右方向）に延びる断面長方形状に形成されている。各タンブラ収容部１２の幅は、対応する係合凹部７ｄの幅と略等しくなっている。また、作動体１０の外側面１０ａにおいて、前記キープレート５の幅方向で隣り合うタンブラ収容部１２の間には、両タンブラ収容部１２を連通するばね収容凹部１３が形成されている。
【００２９】
図５に示すように、作動体１０において、各ばね収容凹部１３と該ばね収容凹部１３により連通するタンブラ収容部１２とからなる中空部分には、回転軸１４が作動体１０に対して回転可能に配置されている。回転軸１４は、前記鍵孔１１に挿入されるキープレート５の幅方向（図５において左右方向）に沿って延び、対応するばね収容凹部１３及びタンブラ収容部１２の、キープレート５の挿抜方向（図５において紙面奥行き方向）及び厚さ方向（図５において上下方向）における略中央を通っている。回転軸１４において各タンブラ収容部１２に対応する部位には、第１タンブラ２１若しくは第２タンブラ２２が当該回転軸１４を中心として回転可能に支持されている。第１タンブラ２１及び第２タンブラ２２は、作動体１０のスライド方向（図５において左右方向）における幅が、同じくスライド方向において対向するタンブラ収容部１２の２つの内側面の間の距離と略等しく設定されている。第１タンブラ２１は、鍵孔１１に正規のキープレート５が完全に挿入された場合、当該キープレート５のコード孔５ａに対応する位置に配置される。一方、第２タンブラ２２は、鍵孔１１に正規のキープレート５が完全に挿入された場合、当該キープレート５のコード孔５ａに対応しない位置（図２において２点鎖線で示す）に配置される。
【００３０】
また、回転軸１４において各ばね収容凹部１３に対応する部位の外周には、付勢手段としての捻りコイルばね２３がそれぞれ設けられている。捻りコイルばね２３の中央部は、ばね収容凹部１３の底部に設けられたばね係止部１３ａに係止されている。また、捻りコイルばね２３の両端部２３ａ，２３ａは、前記回転軸１４の軸方向両側に延びるように形成されている。捻りコイルばね２３の両端部２３ａ，２３ａは、対応するばね収容凹部１３の両側のタンブラ収容部１２にそれぞれ収容された第１タンブラ２１若しくは第２タンブラ２２に、それぞれ固定されている。即ち、１つの捻りコイルばね２３に２つのタンブラ（第１タンブラ２１若しくは第２タンブラ２２）が固定されている。第１タンブラ２１及び第２タンブラ２２は、捻りコイルばね２３により、該鍵孔１１に挿入されるキープレート５と係合可能な状態に保持されている。
【００３１】
次に、第１タンブラ２１及び第２タンブラ２２の構造について詳しく説明する。
図６に示すように、第１タンブラ２１は、前記回転軸１４の軸方向（キープレート５の幅方向）から見て、略三角形状に形成されている。第１タンブラ２１は、前記回転軸１４を中心とし前記キープレート５の厚さ方向（図６において上下方向）におけるタンブラ収容部１２の幅の略半分の半径ｒ１を有する円周（図６において２点鎖線で示す）から径方向に突出する略三角形状の１つの照合部２１ａと、同じく略三角形状の２つの係合部２１ｂ，２１ｃとを備えている。照合部２１ａは、第１タンブラ２１の回転軸１４を中心とした回転角度に応じてタンブラ収容部１２から鍵孔１１側（図６において下側）へ突出する。一方、係合部２１ｂ，２１ｃは、第１タンブラ２１の回転軸１４を中心とした回転角度に応じてタンブラ収容部１２からケース７の係合凹部７ｄ側（図６において上側）へ突出する。照合部２１ａ及び係合部２１ｂ，２１ｃは、それらのタンブラ収容部１２からの突出量が等しくなるように形成されている。第１タンブラ２１の照合部２１ａ及び係合部２１ｂ，２１ｃは、前記回転軸１４の軸方向から見て互いに同一の形状となるように形成されている。照合部２１ａ及び係合部２１ｂ，２１ｃは、周方向に略１２０°間隔で設けられている。また、第１タンブラ２１は、当該第１タンブラ２１の外周面が、その周方向において滑らかに連続する曲面状になるように形成されている。
【００３２】
前述したように、第１タンブラ２１は、捻りコイルばね２３により、該鍵孔１１に挿入されるキープレート５と係合可能な状態に保持されている。具体的には、鍵孔１１にキープレート５が挿入されていない状態において、第１タンブラ２１は、その照合部２１ａがタンブラ収容部１２から前記鍵孔１１に突出し、且つ、その２つの係合部２１ｂ，２１ｃがタンブラ収容部１２内に収容されて同タンブラ収容部１２からケース７側へ突出していない状態（中立状態）で保持されている（図５参照）。捻りコイルばね２３は、初期負荷を有していない状態で、即ち、前記回転軸１４を中心として巻き取られていない状態で第１タンブラ２１に固定されている。第１タンブラ２１の照合部２１ａは、鍵孔１１に挿入されたキープレート５と係合し、その挿入方向へ回転変位する。これにより、第１タンブラ２１は、回転軸１４を中心として回転する。そして、第１タンブラ２１の係合部２１ｂ，２１ｃは、当該第１タンブラ２１の回転軸１４を中心とした回転角度に応じてタンブラ収容部１２からケース７側への突出量を変化させ、作動体１０とケース７とを係合させる。
【００３３】
具体的には、図７（ａ）に示すように、鍵孔１１にキープレート５が挿入されると、第１タンブラ２１の照合部２１ａが、挿入されたキープレート５と係合し、当該キープレート５に押圧されてその挿入方向に変位する。これにより、第１タンブラ２１は、捻りコイルばね２３の弾性力に抗して回転軸１４を中心として図７（ａ）において反時計回り方向へ回転する。そして、図７（ｂ）に示すように、第１タンブラ２１の照合部２１ａに対応する位置にキープレート５のコード孔５ａが設けられていない部位が配置されると、照合部２１ａが回転変位状態となり、タンブラ収容部１２に収容されていた２つの係合部２１ｂ，２１ｃの内一方の係合部２１ｂがタンブラ収容部１２からケース７側に突出する。第１タンブラ２１が作動体１０とケース７とに跨って配置されることにより、当該第１タンブラ２１を介して作動体１０とケース７とが係合する。また、このとき、第１タンブラ２１が回転軸１４を中心として回転することで捻りコイルばね２３（図５参照）が巻き取られ、当該捻りコイルばね２３に弾性力が蓄積される。
【００３４】
図７（ｃ）に示すように、キープレート５がさらに挿入され、照合部２１ａに対応する位置に、前記キープレート５のコード孔５ａが配置されると、キープレート５と照合部２１ａとの間の係合が解除され、第１タンブラ２１が回転軸１４を中心として回転可能となる。このため、第１タンブラ２１は、捻りコイルばね２３に蓄積された弾性力により、その照合部２１ａが元の中立位置に配置されるように時計回り方向へ回転し中立状態をとり、その係合部２１ｂがタンブラ収容部１２に収容される。これにより、第１タンブラ２１による作動体１０とケース７との係合が解除される。
【００３５】
また、鍵孔１１に挿入されていたキープレート５が抜出されると、キープレート５の挿入時において照合部２１ａに対応する位置に前記キープレート５のコード孔５ａが配置される場合と同様に、第１タンブラ２１は、キープレート５との係合を通じて時計回り方向へ回転する。そして、キープレート５が完全に引き抜かれてキープレート５と照合部２１ａとの間の係合が解除されると、第１タンブラ２１は、捻りコイルばね２３に蓄積された弾性力により、その照合部２１ａが図７（ｃ）に示す元の中立位置に配置されるように反時計回り方向へ回転し中立状態をとり、その係合部２１ｂ，２１ｃがタンブラ収容部１２内に収容される。これにより、第１タンブラ２１による作動体１０とケース７との係合が解除される。
【００３６】
即ち、第１タンブラ２１は、その照合部２１ａに対応する位置にキープレート５が配置された場合、照合部２１ａが回転変位状態をとり、作動体１０とケース７とを係合させる。一方、第１タンブラ２１は、その照合部２１ａに対応する位置にキープレート５が配置されていない場合、照合部２１ａが中立位置に配置され中立状態をとり、作動体１０とケース７との係合を解除する。
【００３７】
図６に示すように、第２タンブラ２２は、前記回転軸１４の軸方向（キープレート５の幅方向）から見て、略楕円形状に形成されている。第２タンブラ２２は、前記回転軸１４を中心とし前記キープレート５の厚さ方向（図６において上下方向）におけるタンブラ収容部１２の幅の略半分の半径ｒ１を有する円周（図６において２点鎖線で示す）から径方向に突出する略三角形状の１つの照合部２２ａと、同じく略三角形状の１つの係合部２２ｂとを備えている。照合部２２ａは、第２タンブラ２２の回転軸１４を中心とした回転角度に応じてタンブラ収容部１２から鍵孔１１側へ突出する。一方、係合部２２ｂは、第２タンブラ２２の回転軸１４を中心とした回転角度に応じてタンブラ収容部１２からケース７の係合凹部７ｄ側へ突出する。照合部２２ａ及び係合部２２ｂは、それらのタンブラ収容部１２からの突出量が等しくなるように形成されている。第２タンブラ２２の照合部２２ａ及び係合部２２ｂは、前記回転軸１４の軸方向から見て互いに同一の形状となるように形成されている。照合部２２ａ及び係合部２２ｂは、周方向に略１８０°間隔で設けられている。また、第２タンブラ２２の照合部２２ａ及び係合部２２ｂは、鍵孔１１に対するキープレート５の挿入方向から見て前記第１タンブラ２１の照合部２１ａ及び係合部２１ｂ，２１ｃと同一の形状となるように形成されている。このため、鍵孔１１に対するキープレート５の挿入方向から見て、第１タンブラ２１及び第２タンブラ２２の判別が不能となっている。また、第２タンブラ２２は、当該第２タンブラ２２の外周面が、その周方向において滑らかに連続する曲面状になるように形成されている。このため、鍵孔１１に挿入されたキープレート５と滑らかに係合する。
【００３８】
前述したように、第２タンブラ２２は、捻りコイルばね２３により、該鍵孔１１に挿入されるキープレート５と係合可能な状態に保持されている。具体的には、鍵孔１１にキープレート５が挿入されていない状態において、第２タンブラ２２は、その照合部２２ａがタンブラ収容部１２から前記鍵孔１１に突出し、且つ、その係合部２２ｂがタンブラ収容部１２からケース７側へ突出した状態（中立状態）で保持されている。捻りコイルばね２３は、初期負荷を有していない状態で、即ち、前記回転軸１４を中心として巻き取られていない状態で第２タンブラ２２に固定されている。第２タンブラ２２の照合部２２ａは、鍵孔１１に挿入されたキープレート５と係合し、その挿入方向へ回転変位する。これにより、第２タンブラ２２は、回転軸１４を中心として回転する。そして、第２タンブラ２２の係合部２２ｂは、当該第２タンブラ２２の回転軸１４を中心とした回転角度に応じてタンブラ収容部１２からケース７側への突出量を変化させ、作動体１０とケース７とを係合させる。
【００３９】
具体的には、図８（ａ）に示すように、鍵孔１１にキープレート５が挿入されると、第２タンブラ２２の照合部２２ａが、挿入されたキープレート５と係合し、当該キープレート５に押圧されてその挿入方向に変位する。これにより、第２タンブラ２２は、捻りコイルばね２３の弾性力に抗して回転軸１４を中心として図８（ａ）において反時計回り方向へ回転する。そして、図８（ｂ）に示すように、第２タンブラ２２の照合部２２ａに対応する位置にキープレート５のコード孔５ａが設けられていない部位が配置されると、照合部２２ａが回転変位状態となり、タンブラ収容部１２から突出していた係合部２２ｂがタンブラ収容部１２に収容され、当該第２タンブラ２２による作動体１０とケース７との係合が解除される。また、このとき、第２タンブラ２２が回転軸１４を中心として回転することで捻りコイルばね２３が巻き取られ、当該捻りコイルばね２３に弾性力が蓄積される。
【００４０】
図８（ｃ）に示すように、キープレート５がさらに挿入され、照合部２２ａに対応する位置に、前記キープレート５のコード孔５ａが配置されると、キープレート５と照合部２２ａとの間の係合が解除され、第２タンブラ２２が回転軸１４を中心として回転可能となる。このため、第２タンブラ２２は、捻りコイルばね２３に蓄積された弾性力により、その照合部２２ａが図８（ｃ）に示す元の中立位置に配置されるように時計回り方向へ回転し中立状態をとり、その係合部２２ｂがタンブラ収容部１２からケース７側へ突出する。第２タンブラ２２が作動体１０とケース７とに跨って配置されることにより、第２タンブラ２２を介して作動体１０とケース７とが係合する。
【００４１】
また、鍵孔１１に挿入されていたキープレート５が抜出されると、キープレート５の挿入時において照合部２２ａに対応する位置に前記キープレート５のコード孔５ａが配置される場合と同様に、第２タンブラ２２は、キープレート５との係合を通じて時計回り方向へ回転する。そして、キープレート５が完全に引き抜かれてキープレート５と照合部２２ａとの間の係合が解除されると、第２タンブラ２２は、捻りコイルばね２３に蓄積された弾性力により、その照合部２２ａが図８（ｃ）に示す元の中立位置に配置されるように反時計回り方向へ回転し中立状態をとり、その係合部２２ｂがタンブラ収容部１２からケース７側へ突出する。第２タンブラ２２が作動体１０とケース７とに跨って配置されることにより、第２タンブラ２２を介して作動体１０とケース７とが係合する。
【００４２】
即ち、第２タンブラ２２は、その照合部２２ａに対応する位置にキープレート５が配置された場合、照合部２２ａが回転変位状態をとり、作動体１０とケース７との係合を解除する。一方、第２タンブラ２２は、その照合部２２ａに対応する位置にキープレート５が配置されていない場合、照合部２２ａが中立位置に配置され中立状態をとり、作動体１０とケース７とを係合させる。
【００４３】
次に、前述のように構成した錠装置とメカニカルキーとを協働させて施錠・解錠を行う場合の作用を説明する。
図６に示すように、錠装置６の鍵孔１１にキープレート５が挿入されていない場合、第１タンブラ２１は、捻りコイルばね２３により、その係合部２１ｂ，２１ｃがタンブラ収容部１２内に収容された状態である中立状態に保持される。また、第２タンブラ２２は、捻りコイルばね２３により、その係合部２２ｂがタンブラ収容部１２からケース７側へ突出した状態である中立状態に保持される。第２タンブラ２２が作動体１０とケース７とに跨って配置されることにより、第２タンブラ２２を介して作動体１０とケース７とが係合し、作動体１０及びケース７の相対変位が規制される。よって、錠装置６の施解錠操作が規制される。
【００４４】
錠装置６の鍵孔１１に当該錠装置６に対応する正規のキープレート５が挿入されると、各タンブラ２１，２２の照合部２１ａ，２２ａがキープレート５の先端部に押圧されてその挿入方向へ回転変位する。これにより、各タンブラ２１，２２は、回転軸１４を中心として反時計回り方向へ回転する。そして、図９に示すように、鍵孔１１に正規のキープレート５が完全に挿入されると、第１タンブラ２１は、鍵孔１１に挿入される正規のキープレート５のコード孔５ａに対応する位置に配置される。このため、第１タンブラ２１の照合部２１ａはキープレート５と係合しない。従って、照合部２１ａは中立位置に配置され、当該第１タンブラ２１の係合部２１ｂ，２１ｃは、タンブラ収容部１２内に収容される。一方、鍵孔１１に正規のキープレート５が完全に挿入されると、第２タンブラ２２は、鍵孔１１に挿入される正規のキープレート５のコード孔５ａに対応しない位置に配置される。このため、第２タンブラ２２の照合部２２ａはキープレート５と係合し当該キープレート５の挿入方向に変位した状態である回転変位状態に保持される。従って、第２タンブラ２２は、その係合部２２ｂが、タンブラ収容部１２内に収容された状態に保持される。よって、鍵孔１１に正規のキープレート５が挿入されることにより、全てのタンブラ２１，２２の係合部２１ｂ，２１ｃ，２２ｂは、タンブラ収容部１２内に収容される。このため、タンブラ２１，２２によるケース７と作動体１０との係合が全て解除されて、前記キープレート５の挿入方向に直交する操作方向への作動体１０のケース７に対する相対変位が許容され、錠装置６の施解錠操作が可能となる。
【００４５】
錠装置６の鍵孔１１からキープレート５が抜出されると、各タンブラ２１，２２はキープレート５の挿入時に捻りコイルばね２３に蓄積された弾性力により、各照合部２１ａ，２２ａが元の中立位置に配置されるように回転する。各タンブラ２１，２２が図６に示す元の状態（中立状態）に復帰した状態においては、第２タンブラ２２の係合部２２ｂがタンブラ収容部１２から突出し、第２タンブラ２２が作動体１０とケース７とに跨って配置される。これにより、第２タンブラ２２を介して作動体１０とケース７とが係合し、前記キープレート５の挿入方向に直交する操作方向への作動体１０のケース７に対する相対変位が規制される。よって、錠装置６の施解錠操作が規制される。
【００４６】
なお、錠装置６の鍵孔１１に不正なキープレートが挿入された場合、同キープレートのコード孔と該コード孔が設けられていない部位とが、第１タンブラ２１及び第２タンブラ２２に対応していないので、タンブラ２１，２２によるケース７と作動体１０との係合が全て解除されない。例えば、不正なキープレートとして板状の部材が挿入された場合、第１タンブラ２１は、その係合部２１ｂがタンブラ収容部１２からケース７側へ突出した状態で保持され（図７（ｂ）参照）、また、第２タンブラ２２は、その係合部２２ｂがタンブラ収容部１２内に収容された状態で保持される（図８（ｂ）参照）。従って、第１タンブラ２１を介して作動体１０とケース７とが係合し、前記キープレートの挿入方向に直交する操作方向への作動体１０のケース７に対する相対変位が規制される。よって、錠装置６の施解錠操作が規制される。
【００４７】
次に、上記実施の形態の作用効果を以下に記載する。
（１）錠装置６のタンブラ２１，２２は、鍵孔１１に挿入されるキープレート５の幅方向の回転軸１４を中心として該キープレート５の挿抜方向に回転可能に軸支されている。タンブラ２１，２２の照合部２１ａ，２２ａが鍵孔１１に挿入されたキープレート５と係合しその挿入方向に変位すると、タンブラ２１，２２は、回転軸１４を中心として回転する。そして、タンブラ２１，２２の係合部２１ｂ，２１ｃ，２２ｂは、タンブラ２１，２２の回転軸１４を中心とした回転角度に応じてタンブラ収容部１２からケース７側へ突出し、作動体１０とケース７とを係合させる。即ち、キープレート５の厚みが、タンブラ２１，２２の係合部２１ｂ，２１ｃ，２２ｂのケース７側への突出量、言い換えれば、ケース７及び作動体１０の間の係合力に何ら影響を及ぼさない。よって、キープレート５の厚さをより一層薄くした場合でもケース７と作動体１０とを確実に係合させることが可能となり、キープレート５のより一層の薄型化を図ることができる。
【００４８】
（２）また、この錠装置６では、照合部２１ａ，２２ａが中立位置に配置されるようにタンブラ２１，２２を回転させる捻りコイルばね２３がタンブラ２１，２２の軸方向に配置される。このため、図１２に示す従来の錠装置と比較して、錠装置６の薄型化を図ることができる。
【００４９】
（３）錠装置６は、鍵孔１１に挿入される正規のキープレート５のコード孔５ａに対応する位置に配置される第１タンブラ２１と、当該正規のキープレート５のコード孔５ａに対応しない位置に配置される第２タンブラ２２とを備えている。このため、第１タンブラ２１及び第２タンブラ２２の組み合わせや配置を変更することにより、複数種類のキーコードを当該錠装置６に対応するキーコードとして設定することができる。
【００５０】
また、第２タンブラ２２は、照合部２２ａが中立位置にある状態においてケース７と作動体１０とを係合させるため、当該第２タンブラ２２によって、鍵孔１１にキープレート５が挿入されていない状態における作動体１０のケース７に対する相対変位が規制される。従って、鍵孔１１に正規のキープレート５が挿入されていない状態で作動体１０のケース７に対する相対変位が許容されることはない。また、不正なキープレートが挿入された場合には、同キープレートのコード孔と該コード孔が設けられていない部位とが、第１タンブラ２１及び第２タンブラ２２に対応していないので、作動体１０のケース７に対する相対変位が規制される。以上のことから、錠装置６のセキュリティ性が向上する。
【００５１】
（４）タンブラ２１，２２の外周面は、その周方向において滑らかに連続する曲面状に形成されているため、タンブラ２１，２２の照合部２１ａ，２２ａとキープレート５とを滑らかに係合させることが可能となり、キープレート５の挿抜時における操作感を向上させることができる。
【００５２】
（５）第１タンブラ２１及び第２タンブラ２２は、鍵孔１１のキープレート５の挿入方向からみて前記照合部２１ａ，２２ａの形状が一致するように形成されたため、鍵孔１１から覗いても照合部２１ａ，２２ａの形状から当該照合部２１ａ，２２ａに対応するタンブラ２１，２２の係合部２１ｂ，２１ｃ，２２ｂによるケース７と作動体１０との係合状態を判別することができない。このため、錠装置６のセキュリティ性が向上する。
【００５３】
（６）キープレート５は全体としてカード状に形成されるため、キープレート５の携帯性が向上する。
（７）上述した錠装置６を採用することにより携帯機２のキー収容部に収容されるメカニカルキーの薄型化が図られる。このため、携帯機２の小型化が可能となり、携帯機２の携帯性を向上させることができる。
【００５４】
（８）キープレート５を樹脂材料から形成したため、当該キープレート５を携帯機２において送信アンテナなどが実装された回路基板２ａと重ねて配置することができる。このため、設計の自由度が向上する。なお、この場合、上述したようにキープレート５の薄型化が図られているため、回路基板２ａと重ねて配置しても携帯機２が大幅に厚くなってしまうことはない。
【００５５】
（９）２つのタンブラ（第１タンブラ２１若しくは第２タンブラ２２）を１つの捻りコイルばね２３によって該鍵孔１１に挿入されるキープレート５と係合可能な状態に保持するようにしたため、部品点数を削減することができる。
【００５６】
＜第２の実施の形態＞
次に、本発明の第２の実施の形態を説明する。本実施の形態は、前記タンブラ２１，２２に加えて、該タンブラ２１，２２の回転に伴いケース７と作動体１０とを係合させる係合部材を設けた点で前記第１の実施の形態と異なる。従って、前記第１の実施の形態と同様の部材構成については同一の符号を付し、その詳細な説明を省略する。
【００５７】
図１０（ａ）に示すように、作動体収容部７ｃには、直方体状に形成された作動体１０が、ケース７の内側面に沿って前記スリット７ｂに直交する方向（図１０（ａ）において右方向）へスライド可能に収容されている。作動体１０は、図示しない復帰機構により作動体収容部７ｃのスリット７ｂ側（図１０（ａ）において左側）の内側面に当接した状態に保持されている。作動体１０にはドア錠４ａを施錠・解錠する図示しないロック機構が作動連結されており、作動体１０が鍵孔１１に対するキープレート５の挿入方向に沿った操作方向へ押圧操作されると、前記ロック機構を通じてドア錠４ａが施錠・解錠されるようになっている。具体的には、ドア錠４ａが解錠状態の場合に作動体１０が図１０（ａ）において右方へ押圧操作されるとロック機構はドア錠４ａを施錠し、ドア錠４ａが施錠状態の場合に作動体１０が図１０（ａ）において右方へ押圧操作されるとロック機構はドア錠４ａを解錠する。
【００５８】
作動体１０において、該鍵孔１１に挿入されるキープレート５の厚さ方向一側（図１０（ａ）において上側）の外側面１０ａには、鍵孔１１に対するキープレート５の挿入方向に延びる直線状の４つの係合部材収容部１５が凹設されている。各係合部材収容部１５は、前記復帰機構により作動体１０が作動体収容部７ｃのスリット７ｂ側の端部に配置された状態で、前記作動体収容部７ｃの各係合凹部７ｄに対応する位置に設けられている。係合部材収容部１５の幅は、対応する係合凹部７ｄの幅と略等しくなっている。これにより、当該タンブラ２１，２２の係合部２１ｂ，２１ｃ，２２ｂは、係合部材収容部１５内へ進入可能になっている。
【００５９】
各係合部材収容部１５には、係合部材２５が収容されている。各係合部材２５は、各係合部材収容部１５の内形形状に対応する直方体状に形成されており、作動体１０及びケース７に跨って配置される係合位置と、作動体１０の内側に配置される非係合位置との間を変位可能に収容されている。キープレート５の非挿入状態において、係合部材２５は、係合部材収容部１５内へ突出した第２タンブラ２２の係合部２２ｂに押圧されて作動体１０及びケース７に跨って配置され、作動体１０とケース７とを係合させる。
【００６０】
各係合部材２５の第１タンブラ２１及び第２タンブラ２２とは反対側の側面には、付勢部材収容部２６が凹設されており、該付勢部材収容部２６の開口部には、作動体１０に対してかしめられて固定された略平板状の固定部材２７が配置されている。固定部材２７は、作動体１０に対して、当該固定部材２７の外側面が当該作動体１０の外側面１０ａと面一になるように固定されている。
【００６１】
付勢部材収容部２６の内部において、当該付勢部材収容部２６の内底面と固定部材２７との間には、第２付勢手段としてのコイルばね２８が配設されている。コイルばね２８の一端部は、付勢部材収容部２６の内底面に固定され、他端部は、固定部材２７に固定されている。コイルばね２８は、初期荷重を有した状態、つまり若干圧縮された状態で設けられている。係合部材２５はコイルばね２８の弾性力により係合部材収容部１５の底部に当接するように、即ち、第１タンブラ２１及び第２タンブラ２２側へ付勢されている。係合部材２５の第１タンブラ２１及び第２タンブラ２２側（係合部材収容部１５に没入する方向）への変位は、当該係合部材２５の底面が各第１タンブラ２１及び第２タンブラ２２に当接することにより規制される。即ち、第１タンブラ２１及び第２タンブラ２２の係合部２１ｂ，２１ｃ，２２ｂが係合部材収容部１５内に進入した状態において、係合部材２５は係合位置に配置され、該係合部２１ｂ，２１ｃ，２２ｂが係合部材収容部１５から突出した状態において、係合部材２５は非係合位置に配置される。
【００６２】
次に、前述のように構成した錠装置とメカニカルキーとを協働させて施錠・解錠を行う場合の作用を説明する。
第１の実施の形態と同様に、錠装置６ａの鍵孔１１にキープレート５が挿入されていない場合、第１タンブラ２１は、捻りコイルばね２３により、その係合部２１ｂ，２１ｃがタンブラ収容部１２内に収容された状態で保持される。また、第２タンブラ２２は、捻りコイルばね２３により、その係合部２２ｂが係合部材収容部１５の内部に進入した状態で保持される。このため、係合部材２５は、その底面が各第２タンブラ２２の係合部２２ｂに当接することにより下方への変位が規制され、作動体１０及びケース７に跨って配置される係合位置に保持される。これにより、当該係合部材２５を介して作動体１０とケース７とが係合し、作動体１０及びケース７の相対変位が規制される。よって、錠装置６ａの施解錠操作が規制される。
【００６３】
錠装置６ａの鍵孔１１に当該錠装置６ａに対応する正規のキープレート５が挿入されると、各タンブラ２１，２２の照合部２１ａ，２２ａがキープレート５の先端部に押圧されてその挿入方向へ変位する。これにより、各タンブラ２１，２２は、回転軸１４を中心として反時計回り方向へ回転する。そして、図１０（ｂ）に示すように、鍵孔１１に正規のキープレート５が完全に挿入されると、第１タンブラ２１は、鍵孔１１に挿入される正規のキープレート５のコード孔５ａに対応する位置に配置される。このため、第１タンブラ２１の照合部２１ａはキープレート５と係合しない。従って、照合部２１ａは中立位置に配置され、当該第１タンブラ２１の係合部２１ｂ，２１ｃは、タンブラ収容部１２内に収容される。一方、鍵孔１１に正規のキープレート５が完全に挿入されると、第２タンブラ２２は、鍵孔１１に挿入される正規のキープレート５のコード孔５ａに対応しない位置に配置される。このため、第２タンブラ２２の照合部２２ａはキープレート５と係合し当該キープレート５の挿抜方向に変位した状態に保持される。従って、第２タンブラ２２は、その係合部２２ｂが、タンブラ収容部１２に収容された状態に保持される。よって、鍵孔に正規のキープレートが挿入されることにより、全てのタンブラ２１，２２の係合部２１ｂ，２１ｃ，２２ｂは、タンブラ収容部１２内に収容される。このため、係合部材２５は、第１タンブラ２１及び第２タンブラ２２側へ変位し、作動体１０の内側に配置される非係合位置に配置される。これにより、当該係合部材２５によるケース７と作動体１０との係合が解除されて、前記キープレート５の挿入方向に沿った作動体１０のケース７に対する相対変位が許容され、錠装置６ａの施解錠操作が可能となる。
【００６４】
錠装置６ａの鍵孔１１からキープレート５が抜出されると、各タンブラ２１，２２はキープレート５の挿入時にコイルばね２３に蓄積された弾性力により、各照合部２１ａ，２２ａが図１０（ｂ）に示す元の中立位置に配置されるように回転する。第２タンブラ２２の係合部２２ｂがタンブラ収容部１２から突出して係合部材収容部１５内へ進入するにつれて、係合部材２５は該係合部２２ｂに押圧されて上方（第１タンブラ２１及び第２タンブラ２２とは反対側）へ変位し、照合部２２ａが中立位置に至ったとき、作動体１０及びケース７に跨って配置される係合位置に至る。これにより、当該係合部材２５を介して作動体１０とケース７とが係合し、前記鍵孔１１に対するキープレート５の挿入方向に沿った作動体１０の相対変位が規制される。よって、錠装置６ａの施解錠操作が規制される。
【００６５】
なお、錠装置６ａの鍵孔１１に不正なキープレートが挿入された場合、同キープレートのコード孔と該コード孔が設けられていない部位とが、第１タンブラ２１及び第２タンブラ２２に対応していないので、何れかのタンブラ２１，２２の係合部２１ｂ，２１ｃ，２２ｂが係合部材収容部１５の内部に進入した状態となる。例えば、不正なキープレートとして板状の部材が挿入された場合、第１タンブラ２１は、その係合部２１ｂが係合部材収容部１５の内部に進入した状態で保持され、また、第２タンブラ２２は、その係合部２２ｂがタンブラ収容部１２に収容された状態で保持される。このため、係合部材２５は第１タンブラ２１の係合部２１ｂに押圧されて作動体１０及びケース７に跨って配置される係合位置に配置される。これにより、当該係合部材２５を介して作動体１０とケース７とが係合し、前記鍵孔１１に対するキープレート５の挿入方向に沿った作動体１０の相対変位が規制される。よって、錠装置６ａの施解錠操作が規制される。
【００６６】
次に、上記実施の形態の作用効果を以下に記載する。
（１）係合部材収容部１５に設けられた係合部材２５が、タンブラ２１，２２の回転に伴いタンブラ収容部１２から突出した係合部２１ｂ，２１ｃ，２２ｂに押圧されることにより、当該係合部材２５が作動体１０及びケース７に跨って配置される。このように、係合部材２５を介して作動体１０とケース７とが係合するため、タンブラ２１，２２自体をケース７に係合させることなく作動体１０とケース７とを係合させることができる。ここで、作動体１０がケース７に対してキープレート５の挿抜方向、即ちタンブラ２１，２２の回転方向に相対変位可能となっている本実施の形態において、前記第１の実施の形態のように、タンブラ２１，２２の係合部２１ｂ，２１ｃ，２２ｂが自身をケース７に係合させることも考えられる。しかし、この場合には、作動体１０が操作される際に、タンブラ２１，２２が回転軸１４を中心として回転してしまうことが懸念される。これは、各タンブラ２１，２２の係合部２１ｂ，２１ｃ，２２ｂとケース７とが係合する方向が、タンブラ２１，２２の回転方向と一致するため、作動体１０が操作されることにより、係合部２１ｂ，２１ｃ，２２ｂが回転軸１４から離れた位置でケース７と係合することで、回転軸１４回りでモーメントが発生するためである。この点、本実施の形態によれば、タンブラ２１，２２をケース７に係合させることなく作動体１０とケース７とを係合させることができるため、作動体１０の操作方向とタンブラ２１，２２の回転方向とを同じとした場合であれ、作動体１０の操作時にタンブラ２１，２２が回転軸１４を中心として回転することはなく、作動体１０とケース７とをより確実に係合させることができる。
【００６７】
（２）また、係合部材２５に対応する何れか１つのタンブラ２１，２２の係合部２１ｂ，２１ｃ，２２ｂがタンブラ収容部１２からケース７側へ突出していれば、当該係合部材２５により作動体１０とケース７とが係合した状態となる。このため、作動体１０とケース７との係合状態から各タンブラ２１，２２の状態を判別できなくなり、例えばピッキングによって当該錠装置６ａが不正に解錠され難くなり、錠装置６ａのセキュリティ性が向上する。
【００６８】
尚、上記実施の形態は、以下のように変更してもよい。
・上記各実施の形態では、ケース７の係合凹部７ｄを、スリット７ｂに直交する方向へ延びる直線状に形成したが、例えば、係合凹部７ｄを、作動体１０に設けられたタンブラ収容部１２と対応する位置に点在させてもよい。
【００６９】
・上記各実施の形態では、キープレート５に１０個のコード孔５ａを設け、作動体１０に２０個のタンブラ収容部１２を設けたが、コード孔５ａに対応する位置に第１タンブラ２１を配置し、コード孔５ａに対応しない位置に第２タンブラ２２を配置すれば、コード孔５ａ及びタンブラ収容部１２の数は、製品仕様等に応じて適宜変更可能である。また、キープレート５のコード孔５ａ及びタンブラ収容部１２を千鳥格子状に配置してもよい。このように配置すれば、コード孔５ａをより密に配置することができるため、キープレート５の小型化、ひいては携帯機２の小型化に貢献することができる。
【００７０】
・上記各実施の形態では、２つのタンブラ（第１タンブラ２１若しくは第２タンブラ２２）を１つの捻りコイルばね２３によって該鍵孔１１に挿入されるキープレート５と係合可能な状態に保持したが、２つのタンブラを２つの捻りコイルばね２３によって該鍵孔１１に挿入されるキープレート５と係合可能な状態に保持してもよい。
【００７１】
・上記各実施の形態では、２種類のタンブラ（第１タンブラ２１及び第２タンブラ２２）を設けたが、例えば、タンブラ収容部から係合部が突出するタンブラの回転角度がそれぞれ異なる３種類以上のタンブラを設けてもよい。また、キープレート５が挿入されていない状態において作動体１０とケース７とを係合させる第１タンブラ２１のみを設けてもよい。
【００７２】
・上記実施の形態では、各タンブラ（第１タンブラ２１及び第２タンブラ２２）の照合部２１ａ，２２ａ及び係合部２１ｂ，２１ｃ，２２ｂは、それらのタンブラ収容部１２からの突出量が等しくなるように設定したが、このような態様に限定されない。例えば図１１（ａ）及び図１１（ｂ）に示すように、タンブラ収容部１２から突出した状態における係合部２１ｂ，２１ｃ，２２ｂのケース７側への突出量ｄ１を、中立位置に配置された状態における照合部２１ａ，２２ａの鍵孔側への突出量ｄ２よりも大きく設定してもよい。このように構成すれば、ケース７と作動体１０とをより確実に係合させることができる。
【００７３】
・上記各実施の形態では、第１タンブラ２１の照合部２１ａ及び係合部２１ｂ，２１ｃと、第２タンブラ２２の照合部２２ａ及び係合部２２ｂとが、前記回転軸１４の軸方向から見て同一の形状となるように形成したが、異なるように形成してもよい。
【００７４】
・上記各実施の形態では、第１タンブラ２１及び第２タンブラ２２は、それらの外周面が、その周方向において滑らかに連続する曲面状になるように形成したが、角部が形成されていてもよい。
【００７５】
・上記各実施の形態では、回転軸１４を作動体１０に対して回転可能に設けたが、回転軸１４を作動体１０に対して固定してもよい。
・上記各実施の形態では、キーコードとして当該キープレート５を厚さ方向に貫通するコード孔５ａを設けたが、複数のコード孔５ａを凹設してもよい。
【００７６】
・上記各実施の形態では、キープレート５を全体として長方形の板状に形成したが、例えば、キープレート５の一端に把持部材を設けてもよい。この場合、例えば作動体１０の鍵孔１１の開口部にキープレート５の把持部材を嵌着可能とし当該把持部を介して作動体１０を操作することが可能な構成とすれば、キープレート５によって作動体１０を押圧することなく錠装置６，６ａの施解錠操作が可能となるため、キープレート５のより一層の薄型化を図ることができる。
【００７７】
・上記各実施の形態では、キープレート５のコード孔５ａは、キープレート５の板厚方向から見て同キープレート５の長手方向に延びる長方形状に形成したが、各タンブラ２１，２２の照合部２１ａ，２２ａがタンブラ収容部１２内に没入可能な形状であれば、楕円状に形成してもよく、また円状に形成してもよい。
【００７８】
・上記各実施の形態では、キープレート５を樹脂材料から形成したが、金属などから形成してもよい。なお、この場合、上記各実施の形態のように携帯機２においてキープレート５を回路基板２ａと重ねて配置することは好ましくない。
【００７９】
・上記各実施の形態では、携帯機２のキー収容部２ｂに収容可能なメカニカルキー（キープレート５）として具体化したが、携帯機２に収容されないメカニカルキーに具体化してもよい。また、上記各実施の形態では、キープレート５は、直方体状に形成された携帯機２に収容されようにしたが、カード状に形成された携帯機に収容されるメカニカルキーに具体化してもよい。また、樹脂材料からカード状に形成したメカニカルキーに制御装置４との間で無線通信を行うためのＩＣチップ及びアンテナを搭載し、当該メカニカルキー自身を上記実施の形態における携帯機２として機能させてもよい。この場合、ユーザはカード状のメカニカルキーのみを携帯することで、車両に触れることなくドア錠４ａの施錠・解錠を行うことができる。従って、利便性が向上する。
【００８０】
・上記第１の実施の形態では、作動体１０が前記スリット７ｂの長手方向に沿った操作方向へスライド操作されるとドア錠４ａが施錠・解錠されるようにしたが、作動体１０が鍵孔１１に対するキープレート５の挿入方向に沿った操作方向へ押圧操作されるとドア錠４ａが施錠・解錠されるようにしてもよい。また、逆に、上記第２の実施の形態では、作動体１０が鍵孔１１に対するキープレート５の挿入方向に沿った操作方向へ押圧操作されると、ドア錠４ａが施錠・解錠されるようにしたが、作動体１０が前記スリット７ｂの長手方向に沿った操作方向へスライド操作されるとドア錠４ａが施錠・解錠されるようにしてもよい。
【００８１】
また、上記実施の形態では、作動体１０をケース７に対して直線状にスライド操作することによりドア錠４ａが施錠・解錠される錠装置６，６ａに具体化したが、作動体をケースに対して、それらの厚さ方向へ延びる中心軸を中心として略円弧状にスライド操作することによりドア錠４ａが施錠・解錠される錠装置に具体化してもよい。また、作動体としての内筒（ロータ）をケースとしての外筒（シリンダ）に対して回動操作することによりドア錠４ａの施錠・解錠が行われるシリンダ錠に具体化してもよい。
【００８２】
・上記各実施の形態では、ケース７の作動体収容部７ｃに作動体１０を収容したが、例えば、ケースの外側面に対して作動体１０を相対変位可能に設けてもよい。
・上記第１の実施の形態では、作動体１０を、ケース７に対して前記スリット７ｂの長手方向両側へスライド操作可能としたが、何れか一方側へスライド操作可能としてもよい。
【００８３】
・上記各実施の形態では、車両との無線通信を通じてドア錠を施錠・解錠する電子キーシステムに具体化したが、住宅用の電子キーシステムに具体化してもよい。
次に、前記実施形態より把握できる技術的思想について以下に記載する。
【００８４】
（イ）前記付勢手段は、前記タンブラに対して前記回転軸の軸方向に配置されたことを特徴とする請求項１〜６の何れか１項に記載の錠装置。本思想によれば、従来の錠装置と比較して、錠装置６の薄型化を図ることができる。
【００８５】
（ロ）前記タンブラ収容部から前記ケース側へ突出した状態における前記係合部の前記ケース側への突出量は、前記中立位置に配置された状態における前記照合部の前記鍵孔側への突出量よりも大きく設定されたことを特徴とする請求項１〜６及び上記（イ）の何れか１項に記載の錠装置。本思想によれば、ケースと作動体とをより確実に係合させることができる。
【００８６】
（ハ）無線通信を通じてロック装置の施錠・解錠が可能とされた携帯機において、請求項１〜６及び上記（イ）及び（ハ）の何れか１項に記載の錠装置と協働して前記ロック装置の施錠・解錠を行うキープレートを収容するキー収容部を備えたことを特徴とする携帯機。本思想によれば、上述した錠装置を採用することにより携帯機のキー収容部に収容されるメカニカルキーの薄型化が図られる。このため、携帯機の小型化が可能となり、携帯機の携帯性を向上させることができる。
【符号の説明】
【００８７】
２…携帯機、２ｂ…キー収容部、５…キープレート、５ａ…コード孔、６，６ａ…錠装置、７…ケース、１０…作動体、１０ａ…外側面、１１…鍵孔、１２…タンブラ収容部、１４…回転軸、１５…係合部材収容部、２１…タンブラとしての第１タンブラ、２２…タンブラとしての第２タンブラ、２１ａ，２２ａ…照合部、２１ｂ，２１ｃ，２２ｂ…係合部、２３…付勢手段としての捻りコイルばね、２５…係合部材、２８…第２付勢手段としてのコイルばね。
【図１】
2011080317.tif 000003
【図２】
2011080317.tif 000004
【図３】
2011080317.tif 000005
【図４】
2011080317.tif 000006
【図５】
2011080317.tif 000007
【図６】
2011080317.tif 000008
【図７】
2011080317.tif 000009
【図８】
2011080317.tif 000010
【図９】
2011080317.tif 000011
【図１０】
2011080317.tif 000012
【図１１】
2011080317.tif 000013
【図１２】
2011080317.tif 000014
【図１３】
2011080317.tif 000015